(57)【要約】【課題】入浴者の身体状況に応じて簡単に使用者側で浴槽を移動することのできる浴室構造を提供すること。【解決手段】各々平面形状が略長方形の浴槽配置用床３１と洗い場床３２とからなる防水パン３と、前記浴槽配置用床３１の長辺よりも所定長さ短く形成された浴槽２とを備え、該浴槽２の底面には、長手方向に並んで脚部２１が取り付けられるとともに、該脚部２１の底面には低摩擦材の層２２が形成され、前記浴槽２の側面には、下端に凹部を有するサイドエプロンが取り付けられるとともに、前記凹部に入るように前記浴槽配置用床の浴槽非配置部に載置されるサイドボードが配置され、前記浴槽２が浴槽配置用床３１の上の端部に置き換え自在に配置されている。【選択図】図２
2011019931.tif 000002
【特許請求の範囲】
【請求項１】
各々平面形状が略長方形の浴槽配置用床と洗い場床とからなる防水パンと、
前記浴槽配置用床の長辺よりも所定長さ短く形成された浴槽とを備え、
該浴槽の底面には、長手方向に並んで脚部が取り付けられるとともに、該脚部の底面には低摩擦材の層が形成され、
前記浴槽の側面には、下端に凹部を有するサイドエプロンが取り付けられるとともに、前記凹部に入るように前記浴槽配置用床の浴槽非配置部に載置されるサイドボードが配置され、
前記浴槽が浴槽配置用床の上を置き換え自在に配置されていることを特徴とする浴室構造。
【発明の詳細な説明】
【技術分野】
【０００１】
この発明は、浴槽の配置を容易に変更できる浴室構造に関する。
【背景技術】
【０００２】
現在、少子化等による高齢化社会の到来が社会問題になっており、各方面でその対策が急がれている。例えば、入浴者が高齢化等により、健丈な状態から半身または全身の身体機能が低下あるはい麻痺した場合、通常の規格品である浴室では、そのまま使い続けることが困難になる場合が生じる。
【０００３】
例えば、入浴者の身体機能の低下が進み、片側麻痺から全身麻痺（寝たきり）となった場合には、その状態によって介助の仕方が変わってくるので、介護補助機器を変更したり、浴室全体の改装を行う必要が生じる。
【０００４】
そのために、例えば、カウンターのみを取り外し可能とし、浴槽を浴室の端部に移動できるようにした浴室構造が提案されている。また、このカウンターは入浴者の移乗台としても利用可能とされ、これにより使用方法を健常者用と２方向介護が可能な要介護者用とに容易に変更することができるユニットバスが提案されている（例えば、特許文献１参照）。
【０００５】
また、左右いずれかの片側麻痺の人にも対応できる浴室構造として、浴槽を浴室の略中央に配置し、浴槽の両端側にバスボード或いは床カバーを配置して浴槽の両端側の何れからも介護することができたり、バスボードを左右いずれかの片側麻痺の人の移乗台とすることのできる浴室構造が提案されている（例えば特許文献２参照）。
【先行技術文献】
【特許文献】
【０００６】
【特許文献１】特開平８−４３３１号公報
【特許文献２】特開２００１−１０４１９７号公報
【発明の概要】
【発明が解決しようとする課題】
【０００７】
しかしながら、特許文献１の浴室構造においては、要介護者用の浴槽隣接カウンターや洗い場カウンターは自立式であり移動は容易であるが、重量のある浴槽本体の移動には相当の労力が必要で、移動が困難である。
また、特許文献２の浴槽の移動可能な浴室構造においても、左右いずれか片側の機能の低下が激しい人の自立入浴を補助するバスボード、床カバー、あるいはサイドエプロンは容易に着脱できる構造になっていて、これ等を移動させることは容易であるが、重量のある浴槽本体の移動は必ずしも容易ではない。また、浴槽をスライド移動させるときに、床と浴槽やサイドエプロンが擦れて、これ等に傷が付く等の問題がある。
【０００８】
また、この特許文献２の浴槽では、浴槽のサイドエプロンやバスボード等が壁等にビスで固定されているので、ビスが緩んでサイドエプロンやバスボードががたつくことがあるし、浴槽を移動するときに、浴槽、バスボード、サイドエプロン等を取り付けているビスを取り外し、ばらし、移動させた後に、ビスで組み立て直す方式であるため、工事作業等が必要であって、使用者が浴槽を簡単に移動させることができなかった。
【０００９】
また、集合住宅や、増設・仮設ルームにおいて使用者が変わったりするときに、新たな使用者が高齢のために身体が不自由である場合もある。このような場合、浴室においても、高齢者や身体障害者のために、例えば、前記特許文献１や２に記載されているような浴槽を移動させることのできる構造を備える等の配慮をすることが望ましく、また、身体障害の機能が回復したときには、浴槽を元の位置に戻すことのできる浴室が望ましい。
【００１０】
そこで、この発明の目的は、上記の問題点を解消し、入浴者の身体状況に応じて使用者が浴槽を簡単に移動させることのできる浴室構造を提供することにある。
【課題を解決するための手段】
【００１１】
上記課題を解決するために、請求項１に記載の発明は、各々平面形状が略長方形の浴槽配置用床と洗い場床とからなる防水パンと、前記浴槽配置用床の長辺よりも所定長さ短く形成された浴槽とを備え、該浴槽の底面には、長手方向に並んで脚部が取り付けられるとともに、該脚部の底面には低摩擦材の層が形成され、前記浴槽の側面には、下端に凹部を有するサイドエプロンが取り付けられるとともに、前記凹部に入るように前記浴槽配置用床の浴槽非配置部に載置されるサイドボードが配置され、前記浴槽が浴槽配置用床の上を置き換え自在に配置されていることを特徴とする浴室構造である。
【００１２】
このように構成すれば、浴槽を浴槽配置用床の上を滑らせて浴槽配置用床の端部に移動させることが容易となり、配置を容易に変更することができる。従って、入浴者に応じてその配置を選択することが容易である。
【００１３】
請求項１に関連する第１の発明は、前記浴槽の側面に凹部が形成され、該凹部にサイドエプロンが取り付けられ、該サイドエプロンにかかる垂直荷重を浴槽配置用床の上方に設けられたサイドボードの端部で受け止める構造になされていることを特徴とする請求項１記載の浴室構造である。
【００１４】
このように構成すれば、サイドボードを取り外して浴槽を略中央または端部に移動配置する際、サイドエプロンを取り外さなくともよくなる。即ち、このサイドボードより上にあるサイドエプロンは、浴槽配置用床より高く、しかも、洗い場床より浴槽側にあって、サイドエプロンを付けたまま浴槽をスライド移動させても、この浴槽配置用床に擦れることがなく、洗い場床及びサイドエプロンに傷を付けることなく容易に移動配置させることができる。
【００１５】
請求項１に関連する第２の発明は、前記浴槽の側面に取り付けられたサイドエプロンには凹部が設けられ、該サイドエプロンの凹部には浴槽側のバスボード受け部品が着脱自在に装着され、浴室の壁に壁側のバスボード受け部品が取り付けられ、バスボードが、バスボードの上面と浴槽の上面部とを略面一にして、前記壁側のバスボード受け部品と浴槽側のバスボード受け部品とに架け渡され、前記浴槽が浴室の壁側に移動されたときに、浴槽側のバスボード受け部品が取り外された状態の該サイドエプロンの凹部に、浴室の壁に取り付けられている壁側のバスボード受け部品が収まる構造になされていることを特徴とする請求項１に関連する第１の発明に記載の浴室構造である。
【００１６】
このように構成すれば、壁側のバスボード受け部品や浴槽側のバスボード受け部品を容易に取り付けたり取り外したりすることができるし、バスボードがこの壁側のバスボード受け部品と浴槽側のバスボード受け部品とに架け渡されているだけであるので、バスボードを取り付けたり取り外すことが容易である。また、浴槽の上端部と面一になっているバスボードに入浴者が腰掛けたり、浴槽の出入りの際に、介護を必要とする機能の低下した人がバスボードの上で、体を浴槽側や洗い場側に回転させるための移乗台として利用することができる。
【００１７】
また、浴槽を浴室の壁側に移動して使用する場合に、壁側のバスボード受け部品が、サイドエプロンに設けられている浴槽側のバスボード受け部品を装着するための凹部に収まり、壁側のバスボード受け部品が対向する壁等と突き当たることによる突出寸法分の隙間ができなくなる。従って、この隙間に手を入れる等の危険がなくなり、安全性が向上し、室内空間上もスッキリしたものとなる。
なお、このバスボードの上面を平滑にすると、高齢者や身体障害者にとって安全で使い易く、デザイン的にもスッキリとしたものとなる。
【００１８】
請求項１に関連する第３の発明は、前記壁側のバスボード受け部品と浴槽側のバスボード受け部品には、それぞれ、出っ張った受け部が設けられ、前記バスボードの裏面周縁部には、複数個の固定金具が取り付けられ、該固定金具には、上記バスボード受け部品の受け部の出っ張りの下側に引っ掛ける係止片が備えられており、前記バスボードが壁側のバスボード受け部品と浴槽側のバスボード受け部品の上に、前記固定金具の係止片をそれぞれ両側にあるバスボード受け部品の受け部の下側に引っ掛けた状態にして、載置されて、該バスボードが略水平方向にスライドさせて着脱可能な構造になされていることを特徴とする請求項１に関連する第２の発明に記載の浴室構造である。
【００１９】
このように構成すれば、バスボードの裏面側に取り付けられた固定金具の係止片がバスボード受け部の下側に引っ掛かり、バスボードが上方に引っ張られても抜けることがない。また、浴槽の手前からスライドさせて差し込んで取り付けたり、スライドさせて引き出して取り外すことができ、着脱操作が容易である。
なお、バスボードを奥側の壁に固定金具を使用してネジで固定すると、手前にずれることもなく安定する。
【００２０】
請求項１に関連する第４の発明は、前記浴室の壁には突起が、該突起の下側をバスボードの上面部と略同じ高さにして、設けられ、前記バスボードが浴槽側のバスボード受け部品と壁側のバスボード受け部品とに載置されたときに、前記突起がバスボードの上面を押さる構造になされていることを特徴とする請求項１に関連する第２または３の発明に記載の浴室構造である。
【００２１】
このように構成すれば、バスボードが上方から突起に押さえ付けられて、バスボードががたつかないように安定した状態に固定される。例えば、バスボードの上に介護者や要介護者が乗ったときにバスボードの端部が跳ね上がることがあるが、かかることがなくなる。また、バスボードが上方に引っ張られても突起に引っ掛かって抜けることがない。また、浴槽の手前からスライドさせて差し込んで取り付けたり、スライドさせて引き出して取り外すことができ、着脱操作が容易である。
【００２２】
特に、請求項１に関連する第２の発明記載のように、壁に壁側のバスボード受け部品が取り付けられていると、バスボードが下側のバスボード受け部品と上側の突起に挟まれて、特に、がたつかないように安定した状態に取り付けられる。
また、バスボードを２個以上の突起で押さえることができるように、突起をバスボードの短片の長さの１／２以下のピッチで設けることが好ましい。具体的には、２００ｍｍ以下のピッチが望ましい。
【発明の効果】
【００２３】
請求項１に記載の発明によれば、浴槽を浴槽配置用床の上を滑らせて浴槽配置用床の端部に移動させることが容易となり、配置を容易に変更することができる。従って、入浴者に応じてその配置を容易に選択することができるのである。
【００２４】
請求項１に関連する第１の発明に記載の発明によれば、サイドボードを取り外して浴槽を略中央または端部に移動配置する際、サイドエプロンを取り外さなくともよくなる。即ち、このサイドボードより上にあるサイドエプロンは、浴槽配置用床より高く、しかも、洗い場床より浴槽側にあるので、サイドエプロンを付けたまま浴槽をスライド移動させても、この浴槽配置用床に擦れることがなく、洗い場床及びサイドエプロンに傷を付けることなく容易に移動配置させることができる。
【００２５】
請求項１に関連する第２の発明に記載の発明によれば、壁側のバスボード受け部品や浴槽側のバスボード受け部品を容易に取り付けたり取り外したりすることができるし、バスボードがこの壁側のバスボード受け部品と浴槽側のバスボード受け部品とに架け渡されているだけであるので、バスボードを取り付けたり取り外すことが容易である。また、浴槽の上端部と面一になっているバスボードに入浴者が腰掛けたり、浴槽の出入りの際に、介護を必要とする機能の低下した人がバスボードの上で体を浴槽側や洗い場側に回転させるための移乗台として利用することができる。
【００２６】
また、浴槽を浴室の壁側に移動して使用する場合に、壁側のバスボード受け部品が、サイドエプロンに設けられているバスボード受け部品装着用の凹部に収まり、バスボード受け部品が対向する壁等と突き当たることによる突出寸法分の隙間ができなくなり、安全性が向上し、室内空間上もスッキリしたものとなる。
また、このバスボードの上面を平滑にすると、高齢者や身体障害者にとって安全で遣い易く、デザイン的にもスッキリとしたものとなる。
【００２７】
請求項１に関連する第３の発明に記載の発明によれば、バスボードの裏面側に取り付けられた固定金具の係止片がバスボード受け部の下側に引っ掛かり、バスボードが上方に引っ張られても抜けることがない。また、浴槽の手前からスライドさせて差し込んで取り付けたり、スライドさせて引き出して取り外すことができ、着脱操作が容易である。
なお、バスボードを奥側の壁に固定金具を使用してネジで固定すると、手前にずれることもなく安定する。
【００２８】
請求項１に関連する第４の発明に記載の発明によれば、バスボードが上方から突起に押さえ付けられて、バスボードががたつかないように安定した状態に固定される。例えば、バスボードの上に介護者や要介護者が乗ったときにバスボードの端部が跳ね上がることがあるが、かかることがなくなる。また、バスボードが上方に引っ張られても突起に引っ掛かって抜けることがない。また、浴槽の手前からスライドさせて差し込んで取り付けたり、スライドさせて引き出して取り外すことができ、着脱操作が容易である。
【００２９】
特に、請求項１に関連する第２の発明記載のように、壁に壁側のバスボード受け部品が取り付けられていると、バスボードが下側のバスボード受け部品と上側の突起に挟まれて、特に、がたつかないように安定した状態に取り付けられる。
【図面の簡単な説明】
【００３０】
【図１】本発明の一実施例を示すもので、浴室の斜視図である。
【図２】図１のＡ−Ａ線における断面図である。
【図３】図１の浴槽部分を示す斜視図である。
【図４】浴槽を略中央に配置し、サイドボードを取り付けている状態を示す斜視図である。
【図５】浴室の壁側に壁側のバスボード受け部品が取り付られた状態を示す断面図である。
【図６】浴槽の側面に浴槽側のバスボード受け部品を取り付けている状態を示す斜視図である。
【図７】図６のＢ−Ｂ線における断面図である。
【図８】バスボードを取り付けている状態を示す斜視図である。
【図９】図８のＣ−Ｃ線における断面図である。
【図１０】（イ）はＺ字状の固定金具を示す斜視図、（ロ）はＬ字状の固定金具を示す斜視図、（ハ）はＬ字状の固定金具でバスボードが壁に取り付けられた状態を示す断面図である。
【図１１】バスボードを取り外している状態を示す斜視図である。
【図１２】バスボード受け部品を取り外している状態を示す斜視図である。
【図１３】サイドボードを取り外している状態を示す斜視図である。
【図１４】浴槽を浴室の壁側に移動させ、バスボート受け部品を取り付けている状態を示す斜視図である。
【図１５】サイドボードを取り付けている状態を示す斜視図である。
【図１６】バスボードを取り付けている状態を示す斜視図である。
【図１７】バスボードの裏面に取り付けられた固定金具の配置を示すバスボードの平面図である。
【図１８】本発明に関連する発明の実施例を示すもので、（イ）は浴槽が略中央に配置されたときのバスボード側を示す平面図、（ロ）は（イ）のＤ−Ｄ線における断面図である。
【図１９】浴槽が壁側に配置されたときのバスボード側を示す平面図である。
【符号の説明】
【００３１】
１      浴室
２      浴槽
３      防水パン
３１    浴槽配置用床
３１１  非配置部
３２    洗い場
３３    立上壁
４      バスボード
５      サイドエプロン
５１    壁側のバスボード受け部品
５２    凹部
５３    浴槽側のバスボード受け部品
６      フロントエプロン
７      サイドボード
８      突起
９      固定金具
９ａ    Ｚ字状固定金具
９ｂ    Ｌ字状固定金具
【発明を実施するための形態】
【００３２】
以下、本発明及び本発明に関連する発明の具体的な実施の形態を実施例で、図面を参照しつつ説明する。（実施例１）
図１〜図１７は本発明及び本発明に関連する発明の一実施例を示すもので、図１は、本発明の一実施例を示すもので、浴室の斜視図、図２は図１のＡ−Ａ線における断面図、図３は図１の浴槽部分を示す斜視図、図４は浴槽を略中央に配置し、サイドボードを取り付けている状態を示す斜視図、図５は浴室の壁に壁側のバスボード受け部品が取り付られた状態を示す断面図、図６は浴槽の側面に浴槽側のバスボード受け部品を取り付けている状態を示す斜視図、図７は図６のＢ−Ｂ線における断面図、図８はバスボードを取り付けている状態を示す斜視図、図９は図８のＣ−Ｃ線における断面図、図１０（イ）はＺ字状の固定金具を示す斜視図、（ロ）はＬ字状の固定金具を示す斜視図、（ハ）はＬ字状の固定金具でバスボードを壁に取り付けた状態を示す断面図、図１１はバスボードを取り外している状態を示す斜視図、図１２はバスボード受け部品を取り外している状態を示す斜視図、図１３はサイドボードを取り外している状態を示す斜視図、図１４は浴槽を浴室の壁側に移動させ、バスボード受け部品を取り付けている状態を示す斜視図、図１５はサイドボードを取り付けている状態を示す斜視図、図１６はバスボードを取り付けている状態を示す斜視図、図１７はバスボードの裏面に取り付けられた固定金具の配置を示すバスボードの平面図である。
【００３３】
図１〜図１７において、符号１は浴室ユニットであり、この浴室ユニット１は防水パン３と壁パネル３４と図示しない天井パネルとで画成される。防水パン３は、各々平面形状が略長方形の浴槽配置用床３１と洗い場床３２とを隣接させ、周縁に立上壁３３を設けた一体的な形状に、形成されたものである。
【００３４】
ここで、洗い場床３２は浴槽配置用床３１の長辺側に面して隣接されている。また、浴槽配置用床３１は洗い場床３２の上面より一段低くした落し込み構造となっている。
【００３５】
防水パン３の周縁の３辺に設けられた立上壁３３は、奥立壁３３ａ、右立上壁３３ｂ、左立上壁３３ｃとからなり、防水パン周縁の立上壁３３が設けられていない部分には、引き戸等の扉を設けることができるようになっている。
【００３６】
図２の浴槽２の横断面図において、浴槽２の長手方向に並んで２個取り付けられた脚部２１、２１の底面には、低摩擦材であるテフロン（登録商標）シート、または低密度ポリエチレンシート２２、２２が装着されており、浴槽２を浴槽配置用床３１の少なくとも略中央、または、両端部に容易に滑らせて移動配置させることができるようになっている。もちろん、任意の位置に移動配置させることも可能である。
【００３７】
図３に示すように、浴槽配置用床３１に配置される浴槽２は平面形状が略長方形状である。この浴槽２の長辺の長さをＷｂ、短辺の長さを２Ｗａとすると、浴槽配置用床３１の長辺３ａの長さは、浴槽の長辺の長さＷｂと短辺の長さ２Ｗａとの和（Ｗｂ＋２Ｗａ）に等しくなっている。また、浴槽配置用床３１の短辺の長さは浴槽２の短辺の長さに略等しく２Ｗａになっている。
【００３８】
なお、浴槽２の下側は上側より若干小さくなされていて、浴槽２を、洗い場床３２より一段低くした浴槽配置用床３１の上方に配置することができるようになっている。また、浴槽２と立上壁３３との間であって、浴槽２の配置したところ以外の部分（非配置部３１１）には、バスボード４が配置される。このバスボード４は、平面形状が略長方形状とされ、長辺の長さは浴槽２の短辺の長さと等しく２Ｗａ、短辺の長さはその１／２であるＷａとなっている。
【００３９】
ここで、上述したように、浴槽配置用床３１の長辺の長さはＷｂ＋２Ｗａ、短辺の長さは２Ｗａになされているので、浴槽配置用床３１の上方を浴槽２と２つの同一形状のバスボード４で完全に覆うことができる。具体的には、図１に示すように、浴槽２の両側に形成される非配置部３１１にバスボード４を浴槽２のかまち上面（浴槽の上面部）２ａと略面一に載置することができる。このようになっているので、浴槽２のかまち上面２ａと面一になっているバスボード４に入浴者が腰掛けることができるし、浴槽の出入りの際に、介護を必要とする機能の低下した人がバスボード４の上で体を浴槽側や洗い場側に回転させるための移乗台として利用することができる。
【００４０】
また、浴槽配置用床３１上方であって、浴槽２の配置したところ以外の洗い場床３２と略同じ高さの部分（非配置部３１１）には、サイドボード７が配置される。このサイドボード７は、平面形状が略長方形状とされ、長辺の長さは浴槽２の短辺の長さと等しく２Ｗａ、短辺の長さはその１／２であるＷａとなされている。
【００４１】
上述したように、浴槽配置用床３１の長辺の長さがＷｂ＋２Ｗａで、短辺の長さが２Ｗａになっているので、床部分を浴槽配置用床３１を浴槽２と２つの同一形状のサイドボード７で完全に覆うことができる。
【００４２】
次に、浴槽２を浴槽配置用床３１の中央に配置する例について説明する。
図４に示すように、浴槽２を浴槽配置用床３１の略中央に移動させると、両側に非載置部３１１が形成される。この両側に形成される非載置部３１１にサイドボード７を落し込み、洗い場床３２から浴槽配置用床３１に到る傾斜面に設けられた段部３９に引っ掛けて、載置すると、このサイドボード７の上面と洗い場床３２とが略面一の状態になる。
【００４３】
次に、図７に示すように、浴槽２の左右側壁３３ｂ、３３ｃには、凹部５４が設けられていて、この凹部５４の中にサイドエプロン５を挿入し取り付ける。この際、サイドボード７の浴槽２側の先端７１は、図４に示すように、サイドエプロン５の下端の凹部５５に入るようにして、サイドエプロン５を取り付ける。
【００４４】
このようになっているので、浴槽２のかまち上面２ａに入浴者が腰をおろしたとき等に、浴槽２のサイドエプロン５に垂直荷重がかかるが、このサイドエプロン５にかかる垂直荷重をサイドボート７が受ける構造となる。
このように、サイドエプロン５やサイドボード７を凹部５４又は凹部５５の中に挿入するだけで、このサイドエプロン５やサイドボード７を取り付けることでき、この取付作業や取外作業は簡単である。
【００４５】
また、図５に示すように、防水パン３周縁の右立上壁３３ｂ、左立上壁３３ｃの上方に設置された壁パネル３４、３４に、略水平な上面５１１を形成する状態に出っ張った受け部５１２を有する壁側のバスボード受け部品５１を、固定ビス５１３で固定する。この際、この壁側のバスボード受け部品５１を、バスボード受け部品５１の上面５１１の上にバスボード４を載置させたときに、このバスボード４の上面が浴槽２のかまち上面２ａ（浴槽２の上面部）と面一になるように、取り付ける。
【００４６】
次いで、図６、図７に示すように、浴槽２のサイドエプロン５に設けられた凹部５２に浴槽側のバスボード受け部品５３を、先端の薄い部分５３１から差し込んで、底部５３３をサイドエプロン５の凹部の底部５２２に嵌合して取り付ける。
この浴槽側のバスボード受け部品５３は、壁側のバスボード受け部品と同様に、略水平な上面５３４を形成する状態に出っ張った受け部５３２を有する。
【００４７】
そして、バスボード４を、この壁側のバスボード受け部品５１の上面５１１と浴槽側のバスボード受け部品５３の受け部５３２の上面５３４に載置する。すると、バスボード４が浴槽２のかまち上面２ａ（上面部）と面一になるような位置に取り付けられる。
【００４８】
このバスボード４の取付方法を説明すると、バスボード４の両側の下面には、図１０（イ）に示すＺ形の固定金具９ａの一方のフランジ９１ａが取り付けられていて、図９に示すように、バスボード４の裏面に固定されたＺ字状の固定金具９ａの他方のフランジである係止片９２ａが、浴槽側のバスボード受け部品５３の受け部５３２の下側及び壁側のバスボード受け部品５１の受け部５１の下側に引っ掛けた状態にして、バスボード４をスライドさせて奥側に差し込む。
【００４９】
すると、この壁側のバスボード受け部品５１の受け部の上面５１１と浴槽側のバスボード受け部品５３の受け部５３２の上面５３４にサイドボード４が載置される。
このようになっているので、バスボード４の裏面にはネジ１０ａで固定されたＺ字状の固定金具９ａの係止片９２ａが壁側のバスボード受け部品５１、５１の受け面５１１の下側及び浴槽側のバスボード受け部品５２、５２の受け面５３２の下側に引っ掛けられて、バスボード４を上方に引っ張っても抜けない構造になっている。
【００５０】
そして、バスボード４と奥側の裏面に、図１０（ロ）に示すバスボード４の裏面にＬ字状の固定金具９ｂをネジ１０ａで固定し、バスボードをスライドさせて差し込んで奥側の壁パネル３４に当接したときに、通孔３３ｂに挿入されたネジ１０ｂでバスボード４を奥側の壁パネル３４に固定する。すると、バスボード４は手前にずれたりして外れることはなく安定する。
【００５１】
次に、図１１〜図１６を参照しながら、浴槽２を浴槽配置用床３１の右端に配置する例について説明する。
先ず、図１１に示すように、浴槽２の長辺側の両側に配置されているバスボード４、４の壁パネル３４側を固定している固定金具９ｂ、９ｂの固定ネジ１０ｂ、１０ｂを外し、バスボード４、４を手前にスライドさせて引き出し、壁側のバスボード受け部品５１、５１及び浴槽側のバスボード受け部品５３、５３から取り外す。
【００５２】
次に、図１２に示すように、浴槽２の右側にあるサイドエプロン５の凹部５２、５２に嵌合されている浴槽側のバスボード受け部品５３、５３を取り外す。
又、図１３に示すように、浴槽２の長辺側の両側の床面に配置されているサイドボード７、７を持ち上げて取り外す。
【００５３】
次に、図１４に示すように、浴槽２をスライドさせて移動し、右の壁パネル３４側に寄せる。
このように浴槽２をスライドさせるときに、サイドボード７より上にあるサイドエプロン５は、浴槽配置用床３２より高く、しかも、洗い場床３２より浴槽側にあるので、サイドエプロン５が浴槽配置用床３２に擦れることがなく、浴槽配置用床３１を傷つけることがなく、サイドエプロン５を取り付けたまま浴槽２をスライド移動させることができる。
【００５４】
しかも、脚部２１の先端には低摩擦材が取り付けられているので、浴槽２を浴槽配置用床３２の略中央から壁側に移動させることが容易である。
このようにして浴槽２を移動させると、浴槽２が壁３４に当接する。すると、浴槽２の長辺側のバスボード受け部品５３、５３を取り外した凹部５２、５２に壁パネル側に取り付けられた壁側のバスボード受け部品５１、５１が嵌合されて壁パネル３４と浴槽２との接合部に隙間がなくなる。
【００５５】
このように、壁側のバスボード受け部品５１が、サイドエプロン５に設けられている浴槽側のバスボード受け部品５３を装着するための凹部に収まり、壁側のバスボード受け部品５１が対向する壁３４と突き当たって突出寸法分の隙間ができなくなるので、この隙間に手を入れる等の危険がなくなり、安全性が向上し、室内空間上もスッキリしたものとなる。
【００５６】
次に、図１５に示すように、浴槽２を右側に隙間なく寄せたことにより生じた左側の床３１部分にサイドボード７を取り付けると、２枚のサイドボード７、７が丁度ぴったりと敷き詰められる。そして、図１６に示すように、バスボード４、４を長辺側から壁パネル３４に向けて壁側のバスボード受け部品５１、５１の上面５１１とサイドエプロン５の凹部５２、５２に嵌合されている浴槽側のバスボード受け部品５３、５３の上面５３４の上をスライドさせて差し込んで、バスボード４をバスボード受け部品５１、５３の上に載置する。
【００５７】
このようにバスボード受け部品５１、５３の上をスライドさせて、バスボード４をバスボード受け部品５１、５３の上に載置すればよく、バスボード４の取付作業が簡単である。
このバスボード４を差し込むと、先端が奥側の壁３４に当接するが、このように奥側の壁３４に当接した後に、奥側の壁パネル３４とバスボード４とをＬ字状の固定金具９ｂで固定する。また、バスボード４、４の長辺側で接する部分についてもそれぞれのＬ字状固定金具９ｂ、９ｂ同士をネジ止めしてバスボード４を手前から外れないように固定する。
【００５８】
このバスボード４には、図１７に示すように、裏面の長辺側にはＺ字状の固定金具９ａが各辺にそれぞれ２個、短辺側にはＬ字状の固定金具９ｂが各辺に１個取り付けられている。そして、図１に示すように、浴槽２を浴槽配置用床３１の略中央に配置したときには、バスボード４を浴槽２の両側に載置して軽度に機能の低下した人の移乗材として浴槽２の左右のバスボードのどちらかからでも利用することができる。
【００５９】
また、サイドボード４の裏面に取り付けられる固定金具９ａ、９ａを上記とは逆に取り付けられてもよい。即ち、バスボード４の裏面の長辺側にはＬ字状の固定金具９ｂを各辺にそれぞれ２個、短辺側にはＺ字状の固定金具９ａが各辺に１個取り付ける。この場合には、図１６のように使用する。即ち、浴槽２を浴槽配置用床３１の左右どちらかの壁側に配置し、バスボード４を浴槽２の非載置側にバスボード４の長辺側を対向する壁パネル３４に向かって差し込み、壁パネル３４とバスボード４の長辺側で接する側に固定された固定金具９ｂをネジ１０で固定する。同様に長辺側で２枚のバスボード４、４に接する部分も固定金具９ｂ同士をネジ或いはピンで止めて固定する。
このようにすると、２個のバスボード４、４が繋がった幅の広い面となるので、この２枚のバスボード４、４を介護を必要とする機能の低下した人の移乗台として利用することができる。
このように、要介護者の状態に合わせて、浴槽２を移動させてバスボード４の配置を換えたり広さを換えることができる。
【００６０】
従って、介護施設等では、介護レベルに対応して、バスボードを施設管理者等が自由に取り外したり取り付けたりして、背・脚両側からの介助、シャワーキャリーでの介助等の身体機能に合わせた介助動作が可能である。
また、一般家庭では、高齢者の身体能力の衰えに対応して家族等がバスボード４の一を換えて在宅介助が可能となる。
【００６１】
（実施例２）
図１８及び図１９は本発明に関連する発明の実施例を示すもので、図１８（イ）は浴槽が略中央に配置されたときのバスボード側を示す平面図、（ロ）は（イ）のＤ−Ｄ線における断面図、図１９は浴槽が壁側に配置されたときのバスボード側を示す平面図である。
【００６２】
この図１８及び図１９に示す実施例２を図１〜図１７に示す実施例１と比較するとバスボード４の取付構造が異なる。その他の構造は略同じである。
従って、この異なる構造およびこの構造の異なることによる作用に付いて説明し、その他は省略する。
【００６３】
即ち、浴室３の壁３４には突起８が短辺側の壁と、この短辺側の壁近傍の長辺側の壁にそれぞれ４個ずつ２００ｍｍピッチで設けられている。
この際、突起８の下側をバスボード４の上面部と略同じ高さにする。
すると、図１８に示すように、浴槽２が略中央に配置されたときには、短辺側の壁の４個の突起８と長辺側の壁の２個の突起８がバスボード４の上面を押さえる。
【００６４】
このようになっているので、バスボード４と浴槽２は上方から突起８に押さえ付けられて、バスボード４と浴槽２が、がたつかないように安定した状態に固定されるし、バスボード４の上に人が乗っても端部が跳ね上がることがない。
特に、短辺側には、バスボード４の下側には壁側のバスボード受け部品５１があるので、このバスボード４は４個の突起８と壁側のバスボード受け部品５１とで挟まれて安定した状態に取り付けられる。
【００６５】
また、バスボード８を上方に引っ張っても突起８に引っ掛かって抜けることがない。
また、このバスボード４を浴槽２の手前からスライドさせて差し込んで取り付けたり、スライドさせて引き出して取り外すことができ、着脱操作が容易である。
【００６６】
図１９に示すように、浴槽２が壁３４側の端部に配置されたときには、奥側に取り付けられたバスボード４は長辺側の壁（奥側の壁）の４個の突起と短辺側の２個の突起で押さえられるし、手前側に取り付けられたバスボード４は短辺側の２個の突起に押さえられ、このバスボード４と浴槽２が、がたつかないように安定した状態に固定されるし、バスボード４の上に人が乗っても端部が跳ね上がることがない。
【００６７】
特に、短辺側には、バスボード４の下側には壁側のバスボード受け部品５１があるので、この両方のバスボード４、４は２個の突起８と壁側のバスボード受け部品５１とで挟まれて安定した状態に取り付けられる。
また、バスボード８を上方に引っ張っても突起８に引っ掛かって抜けることがない。
また、このバスボード４を浴槽２の手前からスライドさせて差し込んで取り付けたり、スライドさせて取り外すことができ、着脱操作が容易である。
【図１】
2011019931.tif 000003
【図２】
2011019931.tif 000004
【図３】
2011019931.tif 000005
【図４】
2011019931.tif 000006
【図５】
2011019931.tif 000007
【図６】
2011019931.tif 000008
【図７】
2011019931.tif 000009
【図８】
2011019931.tif 000010
【図９】
2011019931.tif 000011
【図１０】
2011019931.tif 000012
【図１１】
2011019931.tif 000013
【図１２】
2011019931.tif 000014
【図１３】
2011019931.tif 000015
【図１４】
2011019931.tif 000016
【図１５】
2011019931.tif 000017
【図１６】
2011019931.tif 000018
【図１７】
2011019931.tif 000019
【図１８】
2011019931.tif 000020
【図１９】
2011019931.tif 000021